【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
太陽集光用の反射器（1300）であって、
それぞれがシートを含む、当接する長縁に沿って接合された複数の細長いパネル（370）を含み、連続したトラフ（1330）を形成する反射組立体（1340）と、
前記パネルを支持するように構成されたフレーム（1230）とを含み、前記フレームが複数の離隔された支持体を含み、前記パネルに取り付けられた状態の前記フレームが、前記トラフの上面に放物線の輪郭を画定し、
前記当接する長縁に沿って前記パネルを接合することが、前記支持体の横方向に垂直な前記トラフの長手方向において、前記トラフに補鋼を与える、反射器（1300）。
【請求項２】
前記複数のパネルが、ｚ湾曲部（910）又はフランジ（900）の少なくとも１つを用いて接合されて、接着、ボルト締め及びリベット打ちの少なくとも１つによって互いに取り付けられる、請求項１に記載の反射器。
【請求項３】
前記複数のパネルが、接着、ボルト締め及びリベット打ちの少なくとも１つによって前記パネルに取り付けられる接続ストリップ又はチャネル（920）を用いて接合される、請求項１に記載の反射器。
【請求項４】
隣接するパネル（370）により画定された継ぎ目（930）にわたって配置された接続ストリップ（920）を更に含む、請求項１に記載の反射器。
【請求項５】
前記反射組立体が少なくとも３枚のパネルを含む、請求項１に記載の反射器。
【請求項６】
少なくとも１枚のパネルが、金属シートを含む、請求項１に記載の反射器。
【請求項７】
少なくとも１枚のパネルが、基材上に配置されたフィルムを含む、請求項１に記載の反射器。
【請求項８】
少なくとも１つの支持体がトラスを含む、請求項１に記載の反射器。
【請求項９】
前記トラスが、オフセットパラボラを画定する表面を有する少なくとも１つのリブ（300）を含む、請求項８に記載の反射器。
【請求項１０】
前記少なくとも１つのリブが管（310）を含む、請求項９に記載の反射器。
【請求項１１】
太陽反射鏡（1300）を製作する方法であって、
弧状表面（1050）上に、それぞれがシートを含む複数の細長いパネル（370）を位置合わせするステップと、
連続したトラフ（1330）を形成するために、前記パネルをその当接する長縁に沿って接合するステップと、
前記パネルの裏面にフレーム（1230）を固定するステップであって、前記フレームが複数の離隔された支持体を含む、ステップとを含み、
前記パネルをその当接する長縁に沿って接合することが、前記支持体の横方向に垂直な前記トラフの長手方向において、前記トラフに補鋼を与える、方法。
【請求項１２】
前記複数のパネルが、少なくとも３枚のパネルを含む、請求項１１に記載の方法。
【請求項１３】
前記弧状表面がパラボラを画定する、請求項１１に記載の方法。
【請求項１４】
少なくとも１つの支持体がトラスを含む、請求項１１に記載の方法。
【請求項１５】
前記トラスが、オフセットパラボラ表面を有する少なくとも１つのリブ（300）を含む、請求項１４に記載の方法。
【請求項１６】
前記少なくとも１つのリブが管（310）を含む、請求項１５に記載の方法。
【請求項１７】
前記複数のパネルをフランジ（900）で相互接続することを更に含む、請求項１１に記載の方法。
【請求項１８】
溶接、ろう付け、ボルト締め、リベット打ち、及び接着の少なくとも１つによって前記複数のパネルを相互接続することを更に含む、請求項１１に記載の方法。
【請求項１９】
オフセットパラボラ表面（350）を有する管（310）を形成するための方法であって、
ａ．リングロール成形機械（400）のローラ（410、420）間に中空管（310）を挿入するステップと、
ｂ．所定の曲率半径（443）を有する弧へと前記管の一部をロール成形するステップと、
ｃ．前記機械を調整し、直前の曲率半径（443）と異なる所定の曲率半径（442）を有する弧へと前記管の次の部分をロール成形するステップと、
ｄ．前記ステップｃを１回又は複数回繰り返して、前記管のオフセットパラボラ表面の形成を完了するステップとを含む、方法。
【請求項２０】
各所定の曲率半径が、前記中空管により画定されるべきオフセットパラボラ上の３つの等しく離隔された点（501〜507）に適合される円の半径からなる、請求項１９に記載の方法。
【請求項２１】
前記中空管が、アルミニウム、亜鉛メッキ鋼、及びスチールからなるグループから選択された材料からなる、請求項１９に記載の方法。
【請求項２２】
前記ステップｃが、少なくとも２回繰り返される、請求項１９に記載の方法。
【請求項２３】
前記管が、正方形および長方形の少なくとも１つを画定する横断面を含む、請求項１９に記載の方法。
【請求項２４】
第１の中空管からなる下部管（720）と、
第２の中空管からなり、前記下部管から離隔されている上部管（310）と、
前記下部管と前記上部管との間に配置された複数のスペーサ（710）とを含み、
少なくとも前記上部管がオフセットパラボラ表面（350）を画定する、リブ（700）。
【請求項２５】
前記第１の中空管および前記第２の中空管の少なくとも一方が、アルミニウム、亜鉛メッキ鋼、及びスチールからなるグループから選択された材料からなる、請求項２４に記載のリブ。
【請求項２６】
前記複数のスペーサが、アルミニウム、亜鉛メッキ鋼、及びスチールからなるグループから選択された材料からなる、請求項２４に記載のリブ。
【請求項２７】
前記下部管を支持する真束（320）及び少なくとも２つのすじかい（330）を更に含む、請求項２４に記載のリブ。
【請求項２８】
不適切に湾曲した細長い管（310）を修正するための方法であって、
前記管（310）の一部を貫いて切断部（610）を作成するステップと、
前記管をオフセットパラボラの弧（350）へと曲げるステップと、
前記切断部へパートナ（630）を付着することにより、所定の弧を安定化するステップとを含む、方法。
【請求項２９】
前記管を曲げることが、リングロール成形機械（400）を用いることを含む、請求項２８に記載の方法。
【請求項３０】
前記管が中空である、請求項２８に記載の方法。
【請求項３１】
前記パートナが、アルミニウム、亜鉛メッキ鋼、及びスチールからなるグループから選択された材料からなる、請求項２８に記載の方法。
【請求項３２】
前記当接するパネルの長縁が、少なくとも１つのｚ湾曲部（910）又はフランジ（900）を用いて接合され、前記支持体が、ブラケットにより前記ｚ湾曲部またはフランジに接合される、請求項１に記載の反射器。
【請求項３３】
前記当接するパネルの長縁が、接続ストリップ又はチャネル（920）を用いて接合され、前記支持体が前記接続ストリップ又はチャネル（920）に固定される、請求項１に記載の反射器。
【請求項３４】
少なくとも１つのｚ湾曲部（910）又はフランジ（900）を用いて、前記当接するパネルの長縁を接合することを更に含む、請求項１１に記載の方法。
【請求項３５】
前記ｚ湾曲部またはフランジに前記支持体を接合することを更に含む、請求項３４に記載の方法。
【請求項３６】
前記支持体が、ブラケット（1115）により前記ｚ湾曲部またはフランジに接合される、請求項３５に記載の方法。
【請求項３７】
接続ストリップ又はチャネル（920）を用いて、前記当接するパネルの長縁を接合することを更に含む、請求項１１に記載の方法。
【請求項３８】
前記接続ストリップ又はチャネルに前記支持体を固定することを更に含む、請求項３７に記載の方法。
【請求項３９】
前記フレームが前記弧状表面を画定する、請求項１１に記載の方法。